(57)【要約】【課題】ボルトの締付作業における作業記録や検査記録等についてのトレーサビリティを、広く一般に普及している工具を用いて実現すること。【解決手段】  回転型中継アンテナ付交換ソケットアダプタ１は、ソケット３と動力式ドライバ４とを接続すると共に、動力式ドライバ４の回転エネルギーを伝達するための本体部１０（第１の本体部）と、本体部１０の一端側であって、ソケット３と嵌合するための第１の軸部を有するソケット側接続部１１と、本体部１０の他端側に位置し、本体部１０を動力式ドライバ４と嵌合するための第２の軸部を有する動力式ドライバ側接続部１２と、ソケット３と嵌合されるボルト５に埋め込まれたＩＣタグ５２の情報を外部のリーダ６ａが伝達し読み取るための第１の中継アンテナ１３とを有する。【選択図】図１
2018022388.tif 000002
【特許請求の範囲】
【請求項１】
ソケットと動力式ドライバとを接続すると共に、前記動力式ドライバの回転エネルギーを伝達するための第１の本体部と、
前記第１の本体部の一端側であって、前記ソケットと嵌合するための第１の軸部を有するソケット側接続部と、
前記第１の本体部の他端側に位置し、前記第１の本体部を前記動力式ドライバと嵌合するための第２の軸部を有する動力式ドライバ側接続部と、
前記ソケットと嵌合されるボルトに埋め込まれたＩＣタグの情報を外部のリーダが伝達し読み取るための第１の中継アンテナと、
を有する、
ことを特徴とする回転型中継アンテナ付交換ソケットアダプタ。
【請求項２】
前記第１の軸部には前記ボルトの頭部に埋め込まれたＩＣタグの情報を読み取るための検出部が形成される、
ことを特徴とする請求項１に記載の回転型中継アンテナ付交換ソケットアダプタ。
【請求項３】
請求項１に記載の回転型中継アンテナ付交換ソケットアダプタの前記動力式ドライバ側接続部の外周に回動自在に設置される第２の本体部と、
前記第２の本体部が前記動力式ドライバ側接続部の外周に回動自在に設置された状態で前記第１の中継アンテナと高周波磁界による電磁結合によって、前記ボルトに埋め込まれたＩＣタグの情報を外部へ中継送信可能にさせる第２の中継アンテナと、
を有する、
ことを特徴とする固定型中継アンテナ部材。
【請求項４】
請求項１に記載の回転型中継アンテナ付交換ソケットアダプタと請求項３に記載の固定型中継アンテナ部材とがベアリング機構を用いて回動自在に一体に形成されている、
ことを特徴とするＩＣタグ付ボルト検出機能付き交換ソケットアダプタ。
【請求項５】
請求項１または２記載の回転型中継アンテナ付交換ソケットアダプタおよび請求項３記載の固定型中継アンテナ部材もしくは請求項４記載のＩＣタグ付ボルト検出機能付き交換ソケットアダプタが装着され、ボルトの締付力を複数段階に調整可能であり、前記締付力の段階に対応する目盛りを有する動力式ドライバにおいて、
前記目盛りの段階毎にそれぞれ貼付された第１〜第ｎ（ｎは２以上の整数）のＩＣタグと、
現在の締付力の段階を示す位置にある目盛りに貼付されている前記第１〜第ｎのＩＣタグの情報を読み取るための段階値検出部と、
前記検出部が読み取った情報と前記段階値検出部が読み取った情報とを対応付けて記録する手段と、
を有する、
ことを特徴とする動力式ドライバ。
【請求項６】
請求項５記載の動力式ドライバにおいて、
前記段階値検出部は、内部配線に用いられているツイストペアーケーブルを構成する２本の導線に流れる電流の逆位相関係を崩し、同位相となるように前記導線を重ね合わせることにより形成する、
ことを特徴とする動力式ドライバ。
【発明の詳細な説明】
【技術分野】
【０００１】
本発明は、回転型中継アンテナ付交換ソケットアダプタ、固定型中継アンテナ部材、ＩＣタグ付ボルト検出機能付き交換ソケットアダプタ、および動力式ドライバに関する。
【背景技術】
【０００２】
近年、作業記録や検査記録等についての高度なトレーサビリティが求められるようになっている。そのため、たとえば、ボルトにＩＣタグを埋め込み、そのＩＣタグに締結の際のトルク値等を記録させておき、締付不良が発生した場合であっても迅速にトルク値等のデータを取り出して検証できる技術が知られている（特許文献１参照）。
【０００３】
また、現場端末でＩＣタグ付ボルトやＩＣタグが組み込まれたトルクレンチから読み取った識別情報を作業データ管理サーバへと送信すると、この作業データ管理サーバが送信情報に基づいた作業手順を提示して、作業支援を行ったり、作業報告書類の作成支援などを行うことが可能となる技術が知られている（特許文献２参照）。
【０００４】
ところで、特許文献１に開示されたトルクレンチは、トルクレンチのヘッド部内へ歪センサのストレーンゲージを組み込んで、このストレーンゲージとトルクレンチとを信号ケーブルで接続した装置であり、ＩＣタグにアクセスするためのリーダライタ装置（特許文献１におけるＩＣタグ読み出し装置９）は、トルクレンチ本体とは別体として構成されている。そのため、トルクレンチでの締結作業とリーダライタによる読み出し作業は、作業者がそれぞれの装置へ持ち替えて行う必要がある。そのため、作業者が装置を持ち替える際の目視移動による目視ミス、各装置による操作ミス等のヒューマンエラーを引き起こしてしまう虞がある。
【０００５】
また、特許文献２に開示された締付け工具は、アンテナが締付け工具のヘッドの外部に配置されているため、ヘッド直下にあるボルトやガスケットのＲＦＩＣタグだけでなく、これ以外のＲＦＩＣタグ（特許文献２におけるＲＦＩＣタグ１０１Ａ，１０１Ｂ，１０１Ｃ）がアンテナの感度領域に入ると誤読する虞がある。
【０００６】
このような問題を解決するために、本出願人は、特許文献３に開示されるトルクレンチおよび自動認識システムを提案した。特許文献３に開示されているトルクレンチは、ボルトの頭部に埋め込まれたＩＣタグを読み取るための検出部がソケットの内部に設置されている。
【先行技術文献】
【特許文献】
【０００７】
【特許文献１】特開２００６−１８５３１４号公報
【特許文献２】特許第５０６５８５１号
【特許文献３】特開２０１６−９３８７３号公報
【発明の概要】
【発明が解決しようとする課題】
【０００８】
特許文献３に開示されるトルクレンチおよび自動認識システム（以下、先願技術と称する。）は、上述の問題を解決することができるものである。しかしながら、先願技術は専用の工具とシステムを用いるものであり、既に広く一般に普及している汎用的な工具においても上述した問題を解決できるものが望まれている。
【０００９】
本発明は、このような課題を解決するためのものであり、ＩＣタグ付きボルトの締付作業における作業記録や検査記録等についてのトレーサビリティを、広く一般に普及している工具を用いて実現することができる回転型中継アンテナ付交換ソケットアダプタ、ＩＣタグ付ボルト検出機能付き交換ソケットアダプタ、および動力式ドライバを提供することを目的とする。
【課題を解決するための手段】
【００１０】
本発明の第１の観点は、ソケットと動力式ドライバとを接続すると共に、動力式ドライバの回転エネルギーを伝達するための第１の本体部と、第１の本体部の一端側であって、ソケットと嵌合するための第１の軸部を有するソケット側接続部と、第１の本体部の他端側に位置し、第１の本体部を動力式ドライバと嵌合するための第２の軸部を有する動力式ドライバ側接続部と、ソケットと嵌合されるボルトに埋め込まれたＩＣタグの情報を外部のリーダが伝達し読み取るための第１の中継アンテナと、を有することを特徴とする回転型中継アンテナ付交換ソケットアダプタである。
【００１１】
上述の回転型中継アンテナ付交換ソケットアダプタは、第１の軸部にはボルトの頭部に埋め込まれたＩＣタグの情報を読み取るための検出部が形成されることができる。
【００１２】
本発明の第２の観点は、上述の回転型中継アンテナ付交換ソケットアダプタの動力式ドライバ側接続部の外周に回動自在に設置される第２の本体部と、第２の本体部が動力式ドライバ側接続部の外周へ固定して取り付けた状態で第１の中継アンテナと高周波磁界による電磁結合によって、ボルトに埋め込まれたＩＣタグの情報を外部へ中継送信可能にさせる第２の本体部内の第２の中継アンテナと、を有することを特徴とする固定型中継アンテナ部材である。
【００１３】
本発明の第３の観点は、上述の回転型中継アンテナ付交換ソケットアダプタと上述の固定型中継アンテナ部材とがベアリング機構を用いて回動自在に一体に形成されているＩＣタグ付ボルト検出機能付き交換ソケットアダプタである。
【００１４】
本発明の第４の観点は、上述の回転型中継アンテナ付交換ソケットアダプタおよび上述の固定型中継アンテナ部材のセットもしくは上述のベアリング機構を用いたＩＣタグ付ボルト検出機能付き交換ソケットアダプタが装着され、ボルトの締付力を複数段階に調整可能であり、締付力の段階に対応する目盛りを有する動力式ドライバにおいて、目盛りの段階毎にそれぞれ貼付された第１〜第ｎ（ｎは２以上の整数）のＩＣタグと、現在の締付力の段階を示す位置にある目盛りに貼付されている第１〜第ｎのＩＣタグの情報を読み取るための段階値検出部と、ボルトに対向した検出部が読み取ったボルトの情報と段階値検出部が読み取った締め付け力段階値の情報とを対応付けて記録する手段と、を有することを特徴とする動力式ドライバである。
【００１５】
上述の動力式ドライバにおいて、段階値検出部は、配線に用いられているツイストペアーケーブルを構成する２本の導線に流れる電流が互いに逆位相関係が成立しているが、連続してつながる段階値検出部のコイルではＩＣタグと電磁結合させるため同相関係となるよう段階値検出部で逆相が崩れるようにケーブルの２本の導線を重ね合わせることにより形成することができる。
【発明の効果】
【００１６】
本発明によれば、ボルトの締付作業における作業記録や検査記録等についてのトレーサビリティを、広く一般に普及している工具を用いて実現することができる。
【図面の簡単な説明】
【００１７】
【図１】本発明の第１の実施の形態に係るＩＣタグ付ボルト検出機能付き交換ソケットアダプタを構成する、回転型中継アンテナ付交換ソケットアダプタおよび固定型中継アンテナ部材を示す図である。
【図２】図１の回転型中継アンテナ付交換ソケットアダプタの検出部とボルトに埋め込まれたＩＣタグとの位置関係を説明するための図である。
【図３】図２の検出部とＩＣタグとの相互誘導関係について説明するための図である。
【図４】図１の回転型中継アンテナ付交換ソケットアダプタの中継アンテナと固定型中継アンテナ部材の中継アンテナとの高周波磁界による電磁結合について説明するための図である。
【図５】図１のツイストペアーケーブルの一部を中継アンテナとして利用する例を説明するための図である。
【図６】図１のリーダが動力式ドライバのバッテリに取り付けられた例を示す図である。
【図７】本発明の第２の実施の形態に係るＩＣタグ付ボルト検出機能付き交換ソケットアダプタを示す図である。
【図８】本発明の第３の実施の形態に係る動力式ドライバを説明するための図である。
【発明を実施するための形態】
【００１８】
（第１の実施の形態について）
本発明の第１の実施の形態に係るＩＣタグ付ボルト検出機能付き交換ソケットアダプタを構成する、回転側の回転型中継アンテナ付交換ソケットアダプタ１および固定側の固定型中継アンテナ部材２を図１に示す。
【００１９】
回転型中継アンテナ付交換ソケットアダプタ１は、請求項の回転型中継アンテナ付交換ソケットアダプタの一例、ＩＣタグ付ボルト検出機能付き交換ソケットアダプタを構成する部材の一例である。回転型中継アンテナ付交換ソケットアダプタ１は、図１に示すように、ソケット３と動力式ドライバ４とを接続すると共に、動力式ドライバ４の回転エネルギーを伝達するための本体部１０と、本体部１０の一端側であって、ソケット３と嵌合するための軸部１１ａを有するソケット側接続部１１と、本体部１０の他端側に位置し、本体部１０を動力式ドライバ４と嵌合するための軸部１２ａを有する動力式ドライバ側接続部１２と、ソケット３と嵌合されるボルト５の頭部５１に埋め込まれたＩＣタグ５２の情報を外部のリーダ６に中継伝達して読み取るための中継アンテナ１３と、を有する。なお、ボルト５のＩＣタグ５２取り付け位置は頭部５１のほかにネジ部５３の端面などであってもよいが、説明を簡略化するためＩＣタグ５２の取り付け位置を頭部５１として説明をする。
【００２０】
ＩＣタグ５２の情報は、ボルト５に対応する締付トルク値や寸法、材質などの情報である。その他に、ＩＣタグ５２の情報として、ボルト５に一意に付与された識別情報を含むこともできる。
【００２１】
さらに、軸部１１ａにはボルト５の頭部５１に埋め込まれたＩＣタグ５２の情報を読み取るための検出部１１ｂが形成される。検出部１１ｂと中継アンテナ１３とは、一般のケーブルで接続される。一般のケーブルとは、たとえば同軸ケーブルやツイストペアーケーブルなどがあり、以降は、代表例のツイストペアーケーブル１４によって説明する。ツイストペアーケーブル１４は、これを構成する２本の導線に流れる電流の位相が互いに逆位相となることにより、電磁波の漏えいを少なくし、ノイズを除去するなどの効果がある。なお、ソケット３は、サイズの異なる様々なボルト５ａ，５ｂに適合するソケット３ａ，３ｂに交換可能である。
【００２２】
ソケット側接続部１１の検出部１１ｂとボルト５のＩＣタグ５２とは、図２に示すように、ソケット３と嵌合した状態で近接状態になり、検出部１１ｂは、コイルアンテナ（図３参照）であり、そのコイルアンテナとボルト５のＩＣタグ５２のアンテナコイル５２ａのコイル面との相互誘導での電磁結合関係が生じて、検出部１１ｂは、ＩＣタグ５２の情報を読み取ることができる。その原理は、図３に示すように、検出部１１ｂを形成するアンテナコイルをトランスの１次コイルに例えると、これと相互誘導関係を形成する２次コイルがＩＣタグ５２のアンテナコイル５２ａとなる。検出部１１ｂを形成するアンテナコイルとＩＣタグ５２のアンテナコイル５２ａとの間は、磁力線ループφ１で結合しており、検出部１１ｂに電流ｉａが流れると相互誘導関係にあるＩＣタグ５２のアンテナコイル５２ａには電流ｉｂが流れる。
【００２３】
図１に戻り、固定型中継アンテナ部材２は、請求項の固定型中継アンテナ部材の一例、ＩＣタグ付ボルト検出機能付き交換ソケットアダプタを構成する部材の一例である。固定型中継アンテナ部材２は、本体部２０と、中継アンテナ２１とを有する。本体部２０は、図１に示すように、回転型中継アンテナ付交換ソケットアダプタ１の動力式ドライバ側接続部１２の外周に回動自在に設置されている。中継アンテナ２１は、本体部２０が動力式ドライバ側接続部１２の外周に回動自在に設置された状態で中継アンテナ１３と高周波磁界による相互誘導での電磁結合関係が生じ、ボルト５の頭部５１に埋め込まれたＩＣタグ５２の情報を外部へ中継送信可能にさせる。中継アンテナ２１から外部へは、ツイストペアーケーブル２２が配設されている。固定型中継アンテナ部材２における中継アンテナ１３と中継アンテナ２１との電磁結合関係の説明およびツイストペアーケーブル２２を用いる理由の説明は、回転型中継アンテナ付交換ソケットアダプタ１の説明における説明と同様である。
【００２４】
図１の例では、中継アンテナ２１とリーダ６とがツイストペアーケーブル２２によって接続されている。なお、リーダ６とツイストペアーケーブル２２との接続は、リーダ６にアンテナポートが有れば直接ポート接続になり、リーダ６にアンテナポートが無ければ大ポールアンテナなどの放射電波によるアンテナ配線非接触接続になる。
【００２５】
中継アンテナ１３，２１は、いずれもループアンテナであり、相互誘導での電磁結合関係が成立すればよく、ループ寸法は、位相差が無視できる波長に比べ、十分に小さく回転に支障のない似通った寸法など自由度があるが、図では中継アンテナ１３のループ径は中継アンテナ２１のループ径よりも小さく、中継アンテナ２１の内側に中継アンテナ１３が位置するように配設される。図４に中継アンテナ１３と中継アンテナ２１の配設状態を模式的に示す。中継アンテナ１３をトランスの１次コイルに例えると、これと相互誘導関係を形成する２次コイルが中継アンテナ２１となる。中継アンテナ１３と中継アンテナ２１との間は、磁力線ループφ２で結合しており、中継アンテナ１３に電流ｉｃが流れると相互誘導関係にある中継アンテナ２１には電流ｉｄが流れる。このような波長に比べ十分に小さな径の対向して相互誘導するループアンテナからは放射電波が漏洩し難く、目的外のＩＣタグの誤検出を回避できると共に、円形ループは回転対象のため、滑らかな回転が期待できる上、中継効率が回転角度に依存しない。
【００２６】
ここで、ツイストペアーケーブル２２の一部を変形させて、ケーブル途中で切断することなく連続的につながった連続検出部２３Ａ，２３Ｂ，２３Ｃ,２３Ｄ（以下、これらの連続検出部を特に区別する必要がないときは、単に「連続検出部２３」という場合がある。）を形成する方法について、図５を参照して説明する。なお、以下に説明する形成方法は、ツイストペアーケーブルのほか、同種の平行ケーブルでも適用することができるものであり、ツイストペアーケーブル２２を構成する導線２２ａ，２２ｂの長さが同じであることを前提とする。また、一般にケーブルは絶縁被覆線であって、ツイストペアケーブル２２の２本の導線２２ａ，２２ｂも絶縁被覆されているので、図５にて説明するツイストペアの絡み合いで生じる交点Ｐ１〜Ｐ８及びその他のすべての交点は絶縁を介して交差しているものである。
【００２７】
図５の（Ａ）に示すように、ツイストペアーケーブル２２を構成する導線２２ａ，２２ｂの一部で交差する交点Ｐ１〜交点Ｐ８において、電流ｉｅ，ｉｆが互いに同位相となる箇所ができるように変形する。図５の（Ｂ）の例では、導線２２ａおよび導線２２ｂの交点Ｐ１および交点Ｐ２の区間の導線を、たとえば、周囲の導線より上下方向に伸ばした輪を作る。これにより、交点Ｐ１および交点Ｐ２の区間では、電流ｉｅ，ｉｆが輪を回るループの電流とみなした場合、同じ回転方向、つまり同位相の関係となり、この交点Ｐ１および交点Ｐ２の区間で構成される輪が連続検出部２３Ａ（検出部の一例）として機能する。さらに、図５の（Ｃ）に示すように、この輪の交点Ｐ１と交点Ｐ３が重なるように導線２２ｂの輪を作る。このようにして、ツイストペアーケーブル２２を構成する２本の導線２２ａ，２２ｂに流れる電流ｉｅ，ｉｆの逆位相関係を崩し、輪を作るループ部の部分で同相関係となるように導線２２ａ，２２ｂを変形させていく。なお、図５の（Ｂ）では、導線２２ａを０．５回巻き、導線２２ｂを０．５回、合計１回巻のループアンテナからなる連続検出部２３Ａを切断することなく形成している。そして、図５の（Ｃ）、（Ｄ）に示すように交点Ｐ２と交点Ｐ３の間の導線部分を、交点Ｐ１と交点Ｐ２へ折り返して重ね合わせることで２回巻きのループアンテナからなる連続検出部２３Ｂ（検出部の一例）を形成することができる。なお、３回巻きや４回巻きのループアンテナからなる連続検出部を形成するためには、図５の（Ｅ）に示すように、交点Ｐ１に交点Ｐ３を重ねる、交点Ｐ２には交点Ｐ４が従属的に重なることで図５の（Ｆ）で示す３回巻きの連続検出部２３Ｃ（検出部の一例）を形成することができる。更に交点Ｐ５を交点Ｐ１へ重ねると４回巻きの連続検出部２３Ｄ（検出部の一例）を形成することができる。すなわち、図５の（Ｂ）に示すループアンテナが１回巻きの連続検出部２３Ａの構成が基本であり、２回巻きは、１回巻きの交点Ｐ３を基軸の交点Ｐ１へ重ね、３回巻きは、２回巻きの交点Ｐ４を基軸の交点Ｐ２へ重ね、４回巻きは、３回巻きの交点Ｐ５を基軸の交点Ｐ１へ重ねることで連続検出部２３Ｂ，２３Ｃ，２３Ｄをそれぞれ実現することができる。これらのことより、Ｎ回巻きの連続検出部２３を作成するためには、Ｎ−１回巻きの交点Ｐ（Ｐ+１)を交点Ｐ１又は交点Ｐ２へ重ねることで実現することができる。ただし、Ｎが偶数のとき重ねる基軸の交点は交点Ｐ１で、奇数のときは基軸の交点が交点Ｐ２となる。なお、連続検出部２３の形状は、例示の楕円のほか円形や四角形など自由度がある。
【００２８】
ツイストペアーケーブル２２は、２本の導線２２ａ，２２ｂに流れる電流ｉｅ，ｉｆが互いに逆位相の関係を保つことによって、電磁波の漏えいを少なくし、誘導ノイズを除去するなどの効果を生じるものであるが、その一部を図５で説明したように、同位相の輪に変形することにより、変形した部分は波長に比べ十分に小さなループアンテナとして作用する。これにより、ツイストペアーケーブル２２の一部を切断などせずに連続的にＩＣタグ検知の連続検出部２３を作り出すことができる。
【００２９】
このように、固定型中継アンテナ部材２からリーダ６につながるツイストペアーケーブル２２の一部を変形することにより連続検出部２３を自在に形成することができるので、ツイストペアーケーブル２２の検出部という部品点数を減らし、製造コストを低減させることができる。
【００３０】
固定型中継アンテナ部材２は、動力式ドライバ４に対し、固定的に取り付けられる。この取り付け方法は、どのようであってもよいが、たとえば、固定型中継アンテナ部材２を動力式ドライバ４の先端部４０に嵌め込み、振動で抜け落ちないようにゴムバンドや面ファスナーテープ付のベルトなどで固定する。
【００３１】
リーダ６は、図１に示すように、動力式ドライバ４とは別体に用意されるが、図６に示すように、作業の妨害とならない部位として、たとえばリーダ６を動力式ドライバ４のバッテリ４１などに取付けてもよい。
【００３２】
（使用方法について）
ボルト５の頭部５１に埋め込まれたＩＣタグ５２には、ボルト５の識別情報やボルト５の適正締付トルクなどのボルト情報が書き込まれている。
【００３３】
ユーザは、動力式ドライバ４の先端部４０の周囲に、固定型中継アンテナ部材２を取り付けて固定し、先端部４０に、回転型中継アンテナ付交換ソケットアダプタ１の動力式ドライバ側接続部１２の軸部１２ａを装着する。さらに、ユーザは、回転型中継アンテナ付交換ソケットアダプタ１のソケット側接続部１１の軸部１１ａに、ボルト５の頭部５１のサイズに適合するサイズのソケット３を装着する。これにより、ユーザは、動力式ドライバ４のセットアップを完了する。
【００３４】
ユーザは、上述のセットアップが完了した動力式ドライバ４のソケット３をボルト５の頭部５１に嵌合させる。これにより、図２に示すように、ボルト５の頭部５１に埋め込まれているＩＣタグ５２と、軸部１１ａの先端部にある検出部１１ｂとが近接し、ＩＣタグ５２に書き込まれている情報が検出部１１ｂによって読み取られる。検出部１１ｂによって読み取られた情報は、中継アンテナ２１，連続検出部２３を介してリーダ６に中継され、リーダ６の表示部（不図示）に表示される。あるいは検出部１１ｂによって読み取られた情報は、上位システムと連動する。
【００３５】
ユーザは、リーダ６に表示された情報に基づき、ボルト５の締付作業を開始する。たとえば、ユーザは、リーダ６に表示されたボルト５の適正締付トルクに適合するように、動力式ドライバ４の締付トルクを調整する。または、リーダ６にボルト５の識別情報のみが表示される場合には、別に用意した識別情報と適正締付トルクとの対応関係が記載されたテーブルなどに基づき、ボルト５の適正締付トルクに適合するように、動力式ドライバ４の締付トルクを調整する。ユーザは、締付トルクの調整が完了した動力式ドライバ４を用いてボルト５の締付作業を実施する。なお、上記したテーブルはリーダ６内若しくは外部に設けられたメモリに予め格納されている。
【００３６】
（効果について）
以上説明したように、ボルト５の締付作業に際し、リーダ６に表示される情報に基づき、ボルト５の適正締付トルクをユーザが認識することができる。これにより、ユーザが誤って異なる締付トルクでボルト５の締付作業を行う可能性を低減させることできる。
【００３７】
さらに、リーダ６に表示されたボルト５の識別情報と作業を行った締付トルクの値とを記録しておくことで、ボルト５の締付作業における作業記録をとることができる。
【００３８】
このようにして、ボルト５の締付作業における作業記録や検査記録等についてのトレーサビリティを、広く一般に普及している工具である動力式ドライバ４を用いて実現することができる。
【００３９】
（第２の実施の形態について）
本発明の第２の実施の形態に係るＩＣタグ付ボルト検出機能付き交換ソケットアダプタ７について、図７を参照しながら説明する。ＩＣタグ付ボルト検出機能付き交換ソケットアダプタ７は、請求項に記載のＩＣタグ付ボルト検出機能付き交換ソケットアダプタの一例である。ＩＣタグ付ボルト検出機能付き交換ソケットアダプタ７は、図７に示すように、回転型中継アンテナ付交換ソケットアダプタ１ａと固定型中継アンテナ部材２ａとが回転機構である、たとえばボールベアリング３２とその受け溝１５，３３とからなるベアリング機構を用いて回動自在に一体に形成されている。これによれば、固定型中継アンテナ部材２ａの本体部２０ａを動力式ドライバ４の先端部４０に固定しても回転型中継アンテナ付交換ソケットアダプタ１の本体部１０ａはボールベアリング３２と受け溝１５，３３とからなるベアリング機構によって回動自在である。
【００４０】
（効果について）
ＩＣタグ付ボルト検出機能付き交換ソケットアダプタ７によれば、回転型中継アンテナ付交換ソケットアダプタ１ａと固定型中継アンテナ部材２ａとが一体に形成されている。このため、ユーザが持ち運ぶ際に、回転型中継アンテナ付交換ソケットアダプタ１ａと固定型中継アンテナ部材２ａとがバラバラにならず、一方を紛失するなどの不都合な事態を避けることができる。また、ＩＣタグ付ボルト検出機能付き交換ソケットアダプタ７を製品化する際に、回転型中継アンテナ付交換ソケットアダプタ１ａと固定型中継アンテナ部材２ａとが組み合わさって１個の製品となる。このため、製品の流通、陳列、販売の際の効率を高めることができる。
【００４１】
（第３の実施の形態について）
本発明の第３の実施の形態に係る動力式ドライバ４ａについて図８を参照しながら説明する。動力式ドライバ４ａは、締付力の段階に対応する目盛りを有し、目盛りの段階毎にそれぞれ貼付されたＩＣタグ４２ａ，４２ｂ，４２ｃを有する。指標４３は、現在の締付力の段階を示す位置にある。
【００４２】
このような動力式ドライバ４ａにおいて、締付トルクの調整は、先端部４０の付根付近に設けられていることが多く、締付トルク調整機構のダイヤル４４を回転させ、指標４３の位置に所定の締付トルクに該当する目盛りを一致させて行う。動力式ドライバ４ａは、設定した締付トルクを超える締付トルクになると、本体部１０を回転駆動させる機構が空転することにより、締付トルクを調整する。
【００４３】
動力式ドライバ４ａは、現在の締付力の段階を示す指標４３の位置にある目盛りに貼付されているＩＣタグ４２ａ，４２ｂ，４２ｃの情報を読み取るための段階値検出部４５と、検出部１１ｂが読み取った情報と段階値検出部４５が読み取った情報とを対応付けて記録するリーダ６ａと、を有する。段階値検出部４５は、図８の例ではループアンテナであり、図５で説明したように、ツイストペアーケーブル２２の一部を変形することによって実現する連続検出部２３と同様に形成することができる。なお、リーダ６ａは、動力式ドライバ４ａとは別体に用意してもよい。図８の例では、リーダ６ａは、動力式ドライバ４ａのバッテリ４１に取り付けられている。
【００４４】
（使用方法について）
ユーザは、既に説明した手順により動力式ドライバ４ａをセットアップし、セットアップが完了した動力式ドライバ４ａのソケット３をボルト５の頭部５１に嵌合させる。これにより、ボルト５の頭部５１に埋め込まれているＩＣタグ５２と、軸部１１ａの先端部にある検出部１１ｂとが近接し、ＩＣタグ５２に書き込まれている情報が検出部１１ｂによって読み取られる。検出部１１ｂによって読み取られた情報は、中継アンテナ１３，中継アンテナ２１，段階値検出部４５を介してリーダ６ａに伝達され、リーダ６ａの表示部（不図示）に表示されると共にメモリ（不図示）に記録される。あるいは検出部１１ｂによって読み取られた情報は、上位システムと連動する。
【００４５】
ユーザは、リーダ６ａに表示された情報に基づき、ボルト５の締付作業を開始する。たとえば、ユーザは、リーダ６に表示されたボルト５の適正締付トルクに適合するように、動力式ドライバ４ａの締付トルクを調整する。または、リーダ６ａには、ボルト５の識別情報のみが表示される場合には、別に用意したボルト５の識別情報からボルト５の適正締付トルクを導出するためのテーブルに基づき、ボルト５の適正締付トルクに適合するように、動力式ドライバ４ａの締付トルクを調整する。
【００４６】
動力式ドライバ４ａの締付トルクの調整は、前述したように、先端部４０の付根付近に設けられている締付トルク調整機構のダイヤル４４を回転させ、指標４３の位置に所定の締付トルクに該当する目盛りを一致させて行う。図８の例では、指標４３の位置に、ＩＣタグ４２ｂが貼付されている目盛りが位置している。ＩＣタグ４２ｂの識別情報は段階値検出部４５によって読み取られ、リーダ６ａの表示部に表示されると共にメモリに記録される。ユーザは、締付トルクの調整が完了した動力式ドライバ４ａを用いてボルト５の締付作業を実施する。
【００４７】
（効果について）
動力式ドライバ４ａの指標４３の位置にある目盛りの段階値をＩＣタグ４２ａ，４２ｂ，４２ｃの識別情報を読み取ることによってリーダ６ａが記録する。さらに、このときに締付作業を実施したボルト５の頭部５１に埋め込まれているＩＣタグ５２の識別情報についてもリーダ６ａが記録する。リーダ６ａが記録したこれらの情報からどのボルト５をどのような締付トルクで締め付けたかが判明する。これにより、ユーザは、ボルト５の緩みチェックの管理に資する有用な情報を得ることができる。
【００４８】
このようにして、ボルト５の締付作業における作業記録や検査記録等についてのトレーサビリティを、広く一般に普及している工具である動力式ドライバ４ａを用いて実現することができる。
【００４９】
（その他の実施の形態について）
上述した本発明の実施の形態は、その要旨を逸脱しない限りにおいて、様々に変更が可能である。たとえば、固定型中継アンテナ部材２，２ａは、上述した実施の形態では、動力式ドライバ４，４ａの先端部４０に嵌め込む円筒形状であるが、中継アンテナ２１が動力式ドライバ４，４ａに固定できればどのような形状であってもよい。または、中継アンテナ２１を直接、動力式ドライバ４，４ａに取り付けてもよい。
【００５０】
また、リーダ６，６ａは、動力式ドライバ４，４ａとは別体と説明したが、動力式ドライバ４，４ａに一体的に組み込んでもよい。
【符号の説明】
【００５１】
１，１ａ…回転型中継アンテナ付交換ソケットアダプタ（ＩＣタグ付ボルト検出機能付き交換ソケットアダプタを構成する部材の一例）、７…アンテナ用アダプタ、２，２ａ…固定型中継アンテナ部材（ＩＣタグ付ボルト検出機能付き交換ソケットアダプタを構成する部材の一例）、３…ソケット、４，４ａ…動力式ドライバ、５…ボルト、６…リーダ、６ａ…リーダ（対応付けて記録する手段）、７…ＩＣタグ付ボルト検出機能付き交換ソケットアダプタ、１０，１０ａ…本体部（第１の本体部）、１１…ソケット側接続部、１１ａ…第１の軸部、１１ｂ…検出部、１２…動力式ドライバ側接続部、１２ａ…軸部、１３…中継アンテナ（第１の中継アンテナ）、１５…受け溝（ベアリング機構の一部）、２０，２０ａ…本体部（第２の本体部）、２１…中継アンテナ（第２の中継アンテナ）、２２…ツイストペアーケーブル、２２ａ，２２ｂ…導線、２３，２３Ａ，２３Ｂ，２３Ｃ，２３Ｄ…連続検出部（検出部の一例）、３２…ベアリング（ベアリング機構の一部）、３３…受け溝（ベアリング機構の一部）、４０…先端部、４２ａ，４２ｂ，４２ｃ，５２…ＩＣタグ、４５…段階値検出部（検出部の一例）、５３…ネジ部
【図１】
2018022388.tif 000003
【図２】
2018022388.tif 000004
【図３】
2018022388.tif 000005
【図４】
2018022388.tif 000006
【図５】
2018022388.tif 000007
【図６】
2018022388.tif 000008
【図７】
2018022388.tif 000009
【図８】
2018022388.tif 000010